(57)【要約】【課題】  ボトムシャーシとトップカバーとの結合に用いられていたビスを抹消して部品点数や組立工数を削減し、併せて、１つの成形用金型でボトムシャーシとトップカバーとを成形する。【解決手段】  ボトムシャーシ２とトップカバー５とを合わせてビス止めすることによって箱形に形成されるキャビネット本体１の前端に、フロントパネル７が装着される電気機器キャビネットにおいて、ビス止めすることに代え、ボトムシャーシ２とトップカバー５とを樹脂ヒンジ９によって連結する。トップカバー５側の突片６１をボトムシャーシ２側の差込み孔６２に圧入して両者を結合する。【選択図】        図１
2006135021.tif 000002
【特許請求の範囲】
【請求項１】
ボトムシャーシとトップカバーとを合わせてビス止めすることによって箱形に形成されるキャビネット本体の前端に、フロントパネルが装着される電気機器キャビネットにおいて、
ボトムシャーシとトップカバーとをビス止めすることに代え、ボトムシャーシとトップカバーとを、それら２者の後端部同士の後部合わせ個所でそれら２者と一体成形された樹脂ヒンジによって連結すると共に、その後部合わせ個所から前向きに延び出た左右の側部合わせ個所を、トップカバーに設けられた突片とボトムシャーシに設けられて上記突片が圧入された差込み孔とでなる係着手段により結合してキャビネット本体が形成されており、
ボトムシャーシに、トップカバーの側壁部に重なり状に嵌合してそのトップカバーの左右方向での位置ずれを防ぐ位置決め片が一体成形され、その位置決め片に設けられた凹部にトップカバーの上記突片に設けられた凸部が嵌合することによって構成された凹凸嵌合構造によりトップカバーのボトムシャーシからの浮き上がりが阻止されていると共に、ボトムシャーシ及びトップカバーの前端部に上記フロントパネルを嵌合状態で取り付けるようになっていることを特徴とする電気機器キャビネット。
【請求項２】
ボトムシャーシとトップカバーとを合わせてビス止めすることによって箱形に形成されるキャビネット本体の前端に、フロントパネルが装着される電気機器キャビネットにおいて、
ボトムシャーシとトップカバーとをビス止めすることに代え、ボトムシャーシとトップカバーとを、それら２者の合わせ個所の一辺部でそれら２者と一体成形された樹脂ヒンジによって連結すると共に、上記合わせ個所を、それら２者と一体成形された係着手段によって結合することによってキャビネット本体を形成してあることを特徴とする電気機器キャビネット。
【請求項３】
上記係着手段が、ボトムシャーシとトップカバーとのうちの一方側部材に設けられた突片と、他方側部材に設けられて上記突片が圧入された差込み孔とでなる請求項２に記載した電気機器キャビネット。
【請求項４】
ボトムシャーシとトップカバーとの後端部同士の後部合わせ個所で、それら２者が上記樹脂ヒンジによって連結され、上記係着手段が、上記後部合わせ個所から前向きに延び出た左右の側部合わせ個所を結合している請求項２又は請求項３に記載した電気機器キャビネット。
【請求項５】
ボトムシャーシとトップカバーとのうちの一方側部材に、他方側部材の側壁部に重なり状に嵌合してその他方側部材の位置ずれを防ぐ位置決め片が一体成形されている請求項４に記載した電気機器キャビネット。
【請求項６】
上記位置決め片と上記他方側部材との重なり個所に凹凸嵌合構造が介在されてその凹凸嵌合構造によって一方側部材からの他方側部材の浮き上がりが阻止されている請求項５に記載した電気機器キャビネット。
【請求項７】
ボトムシャーシ及びトップカバーの前端部に上記フロントパネルを嵌合状態で取り付けるようになっている請求項２ないし請求項６のいずれか１項に記載した電気機器キャビネット。
【発明の詳細な説明】
【技術分野】
【０００１】
本発明は、電気機器キャビネット、特に、樹脂成形体でなる個別のボトムシャーシとトップカバーとを合わせてビス止めすることによって形成されるキャビネット本体を備える電気機器キャビネットの改良に関する。
【背景技術】
【０００２】
図６は従来例を示し、この従来例の電気機器キャビネットは、樹脂成形体でなる個別のボトムシャーシ２とトップカバー５とを合わせてビス止めすることによって前面が開放した偏平箱形のキャビネット本体１が形成されており、そのキャビネット本体１の前端にフロントパネル７が嵌合状に装着されている。この電気機器キャビネットには、たとえばＤＶＤプレーヤなどのディスク装置などの機構部品が収容され、その場合には、図示のように、ディスク装置のディスクトレイを出退させる開口窓７１がフロントパネル７に設けられる。
【０００３】
この種の電気機器キャビネットでは、部品点数を削減することによる組立工数の削減を図るための対策が種々行われており、図６に示した従来例にあっても、ボトムシャーシ２に合わせたトップカバー５を、その後部合わせ個所の３箇所だけをビス８で締め付けてボトムシャーシ１に結合することに加えて、フロントパネル７をボトムシャーシ２及びトップカバー５の前端部に嵌合状態で取り付けるという構成を採用することによって、ビス８の必要数を極力削減している。
【０００４】
一方、ボトムシャーシにトップカバーを止ネジ１本だけで組み立てることができるようにした記録再生装置の外筐体についての先行例がある（特許文献１参照）。また、コンピュータのケースの上面に軸棒を介して上面板を取り付け、その上面板を、軸棒を中心に開閉動することができるようにしたものもある（特許文献２参照）。
【特許文献１】特開２０００−１１６２２号公報
【特許文献２】実用新案登録第３１００１６５号公報
【発明の開示】
【発明が解決しようとする課題】
【０００５】
図６を参照して説明した従来例では、ボトムシャーシ２にトップカバー５を結合するためのビス８の必要本数が３本にまで削減されており、また、特許文献１のものでは止ネジの必要本数が１本にまで削減されているとは云え、ボトムシャーシにトップカバーを結合するためのビスの必要本数を皆無にしたものではなく、ビス８又は止ネジが必要であることに変わりはない。そのため、部品としてのビスが必要であるだけでなく、組立工程中に必要本数のビスを締め付けるという煩わしいビス締め工程が含まれて作業工数がそれだけ増えていたという問題があった。その上、ボトムシャーシ２とトップカバー５とを個別に樹脂で成形することを要したので、ボトムシャーシ成形用の金型とトップカバー成形用の金型とが別々に必要になってそれだけ金型の製作管理の費用が高くついていた。
【０００６】
本発明はこの問題や状況を改善するためになされたものであり、図６を参照して説明した３点のビス８を完全に抹消することによって必要部品点数を削減することを意図し、ビスを用いずにボトムシャーシとトップカバーとを合わせて結合することのできる電気機器キャビネットを提供することを目的とする。
【０００７】
また、本発明は、ボトムシャーシとトップカバーとを合わせることによって構成されるキャビネット本体を、１つの成形用金型を用いて成形することのできる電気機器キャビネットを提供することを目的とする。
【課題を解決するための手段】
【０００８】
本発明に係る電気機器キャビネットは、ボトムシャーシとトップカバーとを合わせてビス止めすることによって箱形に形成されるキャビネット本体の前端に、フロントパネルが装着される電気機器キャビネットにおいて、ボトムシャーシとトップカバーとをビス止めすることに代え、ボトムシャーシとトップカバーとを、それら２者の合わせ個所の一辺部でそれら２者と一体成形された樹脂ヒンジによって連結すると共に、上記合わせ個所を、それら２者と一体成形された係着手段によって結合することによってキャビネット本体を形成してある、というものである。
【０００９】
この構成であれば、ボトムシャーシとトップカバーとがそれらの合わせ個所の一辺部でそれら２者と一体成形された樹脂ヒンジによって連結されているので、ボトムシャーシとトップカバーとを成形するための金型が１つで済み、また、樹脂ヒンジで連結されているボトムシャーシとトップカバーとが、それらの合わせ個所でそれらに一体成形された係着手段により結合されているので、ボトムシャーシとトップカバーとの結合にビスを用いる必要がなくなる。なお、この発明において、樹脂ヒンジによってボトムシャーシとトップカバーとを連結する個所は、後部合わせ個所であっても、左右いずれかの側部合わせ個所であっても、さらには、前部合わせ個所であってもよい。
【００１０】
本発明では、上記係着手段が、ボトムシャーシとトップカバーとのうちの一方側部材に設けられた突片と、他方側部材に設けられて上記突片が圧入された差込み孔とでなることが望ましい。これによれば、樹脂ヒンジを折り曲げてボトムシャーシの上にトップカバーを重ね合わせるときに併せて、突片を差込み孔に圧入させてボトムシャーシとトップカバーとをそれらの合わせ個所で結合することができるので、ボトムシャーシとトップカバーとを合わせて組み立てる工程を容易にかつ迅速に行うことができるようになる。
【００１１】
本発明では、ボトムシャーシとトップカバーとの後端部同士の後部合わせ個所で、それら２者が上記樹脂ヒンジによって連結され、上記係着手段が、上記後部合わせ個所から前向きに延び出た左右の側部合わせ個所を結合しているという構成を採用することが可能である。この構成であれば、樹脂ヒンジを伸ばしてトップカバーをボトムシャーシの後側へ開いた状態でボトムシャーシにディスク装置などの機構部品を組み付けることが可能になるので、ボトムシャーシへの機構部品の組付けを、ボトムシャーシの左右や前側から容易に行うことが可能になる。
【００１２】
本発明では、ボトムシャーシとトップカバーとのうちの一方側部材に、他方側部材の側壁部に重なり状に嵌合してその他方側部材の位置ずれを防ぐ位置決め片が一体成形されていることが望ましい。これによれば、後部合わせ個所でボトムシャーシに樹脂ヒンジで連結されているトップカバーの左右の振れによる位置ずれが位置決め片によって阻止されるため、箱形のキャビネット本体の保形性が向上し、併せて、その強度も向上する。
【００１３】
本発明では、上記位置決め片と上記他方側部材との重なり個所に凹凸嵌合構造が介在されてその凹凸嵌合構造によって一方側部材からの他方側部材の浮き上がりが阻止されていることが望ましい。これによっても、ボトムシャーシからのトップカバーの浮き上がりが凹凸嵌合構造によって阻止されるために、上記同様に、箱形のキャビネット本体の保形性が向上し、併せて、その強度も向上する。
【００１４】
本発明では、ボトムシャーシ及びトップカバーの前端部に上記フロントパネルを嵌合状態で取り付けるようになっていることが望ましい。これによれば、図６を参照して説明した電気機器キャビネットに用いられているフロントパネルをそのまま用いることが可能になるという利点があるだけでなく、ボトムシャーシからのトップカバーの浮き上がりが、トップカバーの前端部で確実に阻止されるという利点がある。
【００１５】
本発明に係る電気機器キャビネットは、ボトムシャーシとトップカバーとを合わせてビス止めすることによって箱形に形成されるキャビネット本体の前端に、フロントパネルが装着される電気機器キャビネットにおいて、ボトムシャーシとトップカバーとをビス止めすることに代え、ボトムシャーシとトップカバーとを、それら２者の後端部同士の後部合わせ個所でそれら２者と一体成形された樹脂ヒンジによって連結すると共に、その後部合わせ個所から前向きに延び出た左右の側部合わせ個所を、トップカバーに設けられた突片とボトムシャーシに設けられて上記突片が圧入された差込み孔とでなる係着手段により結合してキャビネット本体が形成されており、ボトムシャーシに、トップカバーの側壁部に重なり状に嵌合してそのトップカバーの左右方向での位置ずれを防ぐ位置決め片が一体成形され、その位置決め片に設けられた凹部にトップカバーの上記突片に設けられた凸部が嵌合することによって構成された凹凸嵌合構造によりトップカバーのボトムシャーシからの浮き上がりが阻止されていると共に、ボトムシャーシ及びトップカバーの前端部に上記フロントパネルを嵌合状態で取り付けるようになっている、という構成を好ましく採用することが可能であり、この構成によって本発明がいっそう具体化される。この発明の作用などについては後述する実施形態を参照して詳細に説明する。
【発明の効果】
【００１６】
以上のように、本発明によれば、図６を参照して説明した３点のビスを完全に抹消することが可能になるだけでなく、部品点数が少なくて組立性や保形性などに優れた電気機器キャビネットを安価に提供することができるようになる。また、ボトムシャーシとトップカバーとを合わせることによって構成されるキャビネット本体を、１つの成形用金型を用いて成形することが可能になるので、金型の製作コストや管理コストが従来例の場合よりも抑えられて、、そのことが電気機器キャビネットをいっそう安価に提供することに役立つ。
【発明を実施するための最良の形態】
【００１７】
図１は本発明に係る電気機器キャビネットの組立前のキャビネット本体１を示した側面図、図２は同組立途中のキャビネット本体１を示した側面図、図３は同組立後のキャビネット本体１を示した側面図である。また、図４はキャビネット本体１の概略斜視図、図５は係着手段６による結合構造などを示した縦断側面図である。なお、この実施形態の説明においては、理解を容易にするために、図６で説明した部分と同一又は相応する部分には同一符号を付すことにする。
【００１８】
図４に概略で示したように、キャビネット本体１は、矩形の底板２２の後辺部及び左右の側辺部から立ち上げられた後板２３及び左右の側板２４を備えたボトムシャーシ２と、背低の縁枠５１を前後の辺部と左右の辺部とに備える矩形のトップカバー５とを備えている。そして、図３に示したように、ボトムシャーシ２の上にトップカバー５を重ね合わせて結合することにより、前面が開放した偏平箱形のキャビネット本体１が形成される。また、キャビネット本体１の前端部に同図に仮想線で示したフロントパネル７が嵌合状態で取り付けられるようになっている。
【００１９】
図３のように、ボトムシャーシ２とその上に重ね合わされたトップカバー５とは、それら２者の後端部同士の後部合わせ個所イでそれら２者と一体成形された樹脂ヒンジ９によって連結されている。また、その後部合わせ個所イから前向きに延び出た左右の側部合わせ個所ロが次に説明する係着手段６により結合されている。
【００２０】
図４に概略で示したように、係着手段６は、トップカバー５の縁枠５１の左右３箇所ずつに所定間隔を隔てて設けられた設けられた突片６１と、ボトムシャーシ２の左右の側板２４のそれぞれの所定間隔を隔てた３箇所に設けられた差込み孔６２（左側の側板２４の差込み孔は図に現れない）とでなり、突片６１が差込み孔６２に各別に圧入されるようになっている。
【００２１】
また、図４のように、ボトムシャーシ２の左右の側板２４のそれぞれに前後に長いリブ状の位置決め片２５が備わっている。そして、これらの位置決め片２５の間隔を隔てた前後方向複数個所に凹部２７が形成されているのに対し、トップカバー５側の上記突片６１のそれぞれに凸部２８が形成されている。
【００２２】
上記したボトムケース２及びトップカバー５は、樹脂ヒンジ９と共に１つの金型を用いて樹脂で一体成形される。したがって、ボトムシャーシ２とトップカバー５とを個別に成形するための金型は不要である。また、凹部２７を有する位置決め片２５や凸部２８を有する突片６１もボトムケース２及びトップカバー５と共に一体成形されている。そして、金型から離型したときには、図１のように、樹脂ヒンジ９が伸びてボトムシャーシ２の後側へトップカバー５が開いている。したがって、この状態から樹脂ヒンジ９を折り曲げて図１の矢印Ａのようにトップカバー５をボトムシャーシ２の上に折り返し、図２の状態を経て図３のようにトップカバー５をボトムシャーシ２の上に重ね合わせる。このようにすると、図５によって類推できるように、ボトムシャーシ２側の左右の位置決め片２５がトップカバー５側の縁枠５１の内側に重なり状に嵌合してトップカバー５が左右に位置ずれすることを防ぎ、ボトムシャーシ２側の差込み孔６２のそれぞれにトップカバー５側の突片６１のそれぞれが各別に圧入されてトップカバー５がボトムシャーシ２に結合され、さらに、位置決め片２５の凹部２７のそれぞれに突片６１の凸部２８が嵌合して凹凸嵌合構造２６を形成することによりトップカバー５がボトムシャーシ２から浮き上がることを防ぐ。こうして、ボトムシャーシ２とトップカバー５とを樹脂ヒンジ９によって連結したこと、及び、トップカバー５をボトムシャーシ２に突片２７と差込み孔６２とでなる係着手段６によって結合したこと、によって、図６を参照して説明した３本のビス８を省略することが可能になった。また、図３に仮想線で示したように、キャビネット本体１の前端部にフロントパネル７を嵌合状態で取り付けると、ボトムシャーシ２の前端部からのトップカバー５の前端部の浮き上がりがフロントパネル７によって確実に阻止されるため、上記した凹凸嵌合構造２６による浮き上がり防止作用と相まって、ボトムシャーシ２からのトップカバー５の浮き上がりが確実に防止されて両者が密着した状態を保つ。また、位置決め片２７と縁枠５１との重なり部分によって箱形のキャビネット本体１の保形性が向上し、併せて、その強度も向上することが判った。
【００２３】
この実施形態では、位置決め片２７をボトムシャーシ２側に設けたけれども、この位置決め片２７はトップカバー５側に設けてもよい。また、ボトムシャーシ２とトップカバー５とがそれらの後部合わせ個所イで樹脂ヒンジ９により連結されているものを説明したけれども、樹脂ヒンジ９による両者の連結個所は、左右いずれかの側部併せ個所ロであってもよい。
【００２４】
以上説明した電気機器キャビネットのキャビネット本体１にＤＶＤ装置などの機構部品を組み付ける作業は、図１又は図２のように、樹脂ヒンジ９を伸ばしてトップカバー５を全開又は半開させた状態で行うことが可能であり、そのような組付け作業の後、上記したように樹脂ヒンジ９を折り曲げてトップカバー５をボトムシャーシ２に重ね合わせて結合する。
【図面の簡単な説明】
【００２５】
【図１】本発明に係る電気機器キャビネットの組立前のキャビネット本体を示した側面図である。
【図２】同組立途中のキャビネット本体を示した側面図である。
【図３】同組立後のキャビネット本体を示した側面図である。
【図４】キャビネット本体の概略斜視図である。
【図５】係着手段による結合構造などを示した縦断側面図である。
【図６】従来例の概略斜視図である。
【符号の説明】
【００２６】
１  キャビネット本体
２  ボトムシャーシ
５  トップカバー
６  係着手段
７  フロントパネル
８  ビス止
９  樹脂ヒンジ
２７  位置決め片
２７  凹部
２６  凹凸嵌合構造
２８  凸部
６１  突片
６２  差込み孔
イ  後部合わせ個所
ロ  側部合わせ個所
【図１】
2006135021.tif 000003
【図２】
2006135021.tif 000004
【図３】
2006135021.tif 000005
【図４】
2006135021.tif 000006
【図５】
2006135021.tif 000007
【図６】
2006135021.tif 000008